(57)【要約】【課題】  アイメイクした後に仕上げ用スプレーなどを付ける際に、目やその周囲を保護することができるビューラーを提供すること。【解決手段】  一対の操作レバー６，８を備えており、一方の操作レバー６の一端部には一対の分岐支持部１２，１４が設けられ、これら分岐支持部１２，１４には固定挟圧体１６が固定されているとともに、可動挟圧体１８が固定挟圧体１６に近接及び離隔する方向に移動自在に支持され、他方の操作レバー８の一端部は連結部材２４を介して可動挟圧体１８に連結されているビューラー。一対の分岐支持部の１２，１４の一端部（及び／又は固定挟圧体１６）には、上方に延びる上カバー部材３４が取り付けられ、一対の分岐支持部１２，１４の中間部（又は可動挟圧体１８）には、下方に延びる下カバー部材３６が設けられている。【選択図】  図１
2005177229.tif 000002
【特許請求の範囲】
【請求項１】
相互に旋回自在に連結された一対の操作レバーを備えており、一方の操作レバーの一端部には両側に分岐して延びる一対の分岐支持部が設けられ、前記一対の分岐支持部には固定挟圧体が固定されているとともに、この固定挟圧体の下側に可動挟圧体が前記固定挟圧体に近接及び離隔する方向に移動自在に支持され、その他端部には操作部が設けられており、他方の操作レバーの一端部は連結部材を介して前記可動挟圧体に連結され、その他端部には操作部が設けられているビューラーにおいて、
前記一対の分岐支持部の一端部及び／又は前記固定挟圧体には、上方に延びる上カバー部材が取り付けられ、前記一対の分岐支持部の中間部又は前記可動挟圧体には、下方に延びる下カバー部材が設けられ、前記上カバー部材及び前記下カバー部材の間には、まつげを挿通するための開口が形成されていることを特徴とするビューラー。
【請求項２】
前記上カバー部材は、前記一対の分岐支持部及び／又は前記固定挟圧体に取り付けられた基部から上方に向けて外側に傾斜して延びていることを特徴とする請求項１に記載のビューラー。
【請求項３】
一対の操作レバーを備え、一方の操作レバーの一端部に設けられた一対の分岐支持部に固定挟圧体が固定されているとともに、この固定挟圧体の下側に可動挟圧体が前記固定挟圧体に近接及び離隔する方向に移動自在に支持され、他方の操作レバーの一端部が連結部材を介して前記可動挟圧体に連結されたビューラーに用いるカバー体であって、
前記一対の分岐支持部の一端部及び／又は前記固定挟圧体に着脱自在に取り付けられる上カバー部材と、前記一対の分岐支持部の中間部又は前記可動挟圧体に着脱自在に取り付けられる下カバー部材とから構成され、前記上カバー部材及び前記下カバー部材の間には、まつげを挿通するための開口が形成されていることを特徴とするビューラー用カバー体。
【請求項４】
相互に上下方向に移動自在に装着される上部材及び下部材から構成され、前記上部材には開口が形成され、この開口の上縁には内側に突出する上挟圧部が設けられ、前記上部材の前記開口の上側部が上カバー部として機能し、その前記開口の下側部が下カバー部として機能するように構成され、また前記下部材は前記上部材の内側に配設され、その上端には前記上挟圧部と協働してまつげを挟圧するための下挟圧部が設けられていることを特徴とするビューラー。
【請求項５】
開口を有するビューラー本体と、このビューラー本体の前記開口に上下方向に移動自在に装着された可動部材とから構成され、前記ビューラー本体の前記開口の上側部が上カバー部として機能し、前記可動部材が下カバー部として機能するように構成され、また前記上カバー部には上方に向けて外側に傾斜する傾斜面が設けられ、前記ビューラー本体の前記開口の上縁が上挟圧部として機能し、前記可動部材の上端が前記上挟圧部と協働してまつげを挟圧するための下挟圧部として機能するように構成されていることを特徴とするビューラー。
【請求項６】
前記可動部材には、まつげを保持するための保持液を収容する収容部と、前記収容部に保持された保持液を噴射する噴射孔と、前記収容部から前記噴射孔に延びる噴射流路に設けられた開閉弁を開閉操作するための操作部とが設けられ、前記ビューラー本体の前記上挟圧部と前記可動部材の前記下挟圧部との間にまつげを挟圧した状態において前記操作部を操作すると、前記収容部内の保持液が前記噴射流路を通して前記噴射孔から挟圧されたまつげに向けて霧状に噴射されることを特徴とする請求項５に記載のビューラー。
【請求項７】
開口を有するビューラー本体と、このビューラー本体の前記開口に上下方向に移動自在に装着された可動部材とから構成され、
前記ビューラー本体の前記開口の上側部が上カバー部として機能し、前記可動部材が下カバー部として機能するように構成され、
また前記ビューラー本体の前記開口の上縁が上挟圧部として機能し、前記可動部材の上端が前記上挟圧部と協働してまつげを挟圧するための下挟圧部として機能するように構成され、
更に、前記可動部材には、まつげを保持するための保持液を収容する収容部と、前記収容部に保持された保持液を噴射する噴射孔と、前記収容部から前記噴射孔に延びる噴射流路に設けられた開閉弁を開閉操作するための操作部とが設けられ、
前記ビューラー本体の前記上挟圧部と前記可動部材の前記下挟圧部との間にまつげを挟圧した状態において前記操作部を操作すると、前記収容部内の保持液が前記噴射流路を通して前記噴射孔から挟圧されたまつげに向けて霧状に噴射されることを特徴とするビューラー。
【請求項８】
前記可動部材の前記下挟圧部の下側には外側に突出する肩部が設けられ、前記噴射孔は前記肩部の上面に横方向に間隔を置いて複数設けられ、前記操作部を操作すると、前記収容部内の保持液が前記噴射流路を通して複数個の前記噴射孔から、前記上挟圧部及び前記下挟圧部の間に挟圧されたまつげ全体に向けて霧状に噴射されることを特徴とする請求項６又は７に記載のビューラー。
【発明の詳細な説明】
【技術分野】
【０００１】
本発明は、まつげをカールしたり、所定の状態に保持するためのビューラーに関する。
【背景技術】
【０００２】
最近、女性の化粧の中心は目となり、アイメイクが重要なポイントの一つとなっている。このアイメイクのポイントは、まつげを長く見せること、まつげにボリューム感を持たせること、またまつげをできるだけ上げることであり、このようなことからアイメイクではマスカラをまつげに付けている。ところが、マスカラを付けると、その重量によって、時間の経過とともにまつげが下に下がり、メイクした状態を長く維持することができないという悩みがある。
【０００３】
そこで、このような悩みを解消するために、まつげにパーマをかけて長時間維持するようにしたり、ビューラーを用いて頻繁にまつげを上げたりしている（例えば、特許文献１参照）。従来のビューラーは一対の操作レバーを備え、一方の操作レバーの一端部に固定挟圧体が固定されているとともに、可動挟圧体が移動自在に取り付けられ、また他方の操作レバーの一端部が連結部材を介して可動挟圧体に連結されている。一対の操作レバーを操作すると、可動挟圧体が固定挟圧体に向けて移動し、まつげが固定挟圧体と可動挟圧体との間に挟圧され、このようにしてまつげを上に上げてメイクのくずれを直している。
【０００４】
【特許文献１】特開平１０−２９５４３３号公報
【発明の開示】
【発明が解決しようとする課題】
【０００５】
しかしながら、まつげにパーマをかける場合、パーマの費用が高く、またパーマをかけるのに美容院で２〜３時間程時間的に拘束され、手軽に行うことができない。加えて、パーマのカール状態が気に入らないこともあり、気に入らないときには約一ヶ月程元に戻らないという悩みがある。
【０００６】
また、ビューラーを使用する場合、その効果の持続時間が短く、何度も繰り返しビューラーを行わなければならない。また、アイメイク後にビューラーをすると、まつげに付けたマスカラが取れ、アイメイクを再度しなければならなくなる。加えて、ビューラーでは、自分のイメージ通りのカールをまつげにつけるのが難しいという悩みがある。
【０００７】
このようなことから、アイメイクしたまつげを比較的簡単に長時間維持できるようにするには、アイメイク後に仕上げ用スプレー、仕上げ用ミストをまつげに付けることも考えられるが、まつげにこのようなスプレー、ミストを付ける際には、目やその周囲に飛散したスプレー、ミストが付くという問題が新たに発生する。
【０００８】
本発明の目的は、アイメイクした後に仕上げ用スプレーなどを付ける際に、目やその周囲を保護することができるビューラーを提供することである。
本発明の他の目的は、従来のビューラーなどに交換可能に取り付けることができ、仕上げ用スプレーなどを付ける際に目やその周辺を保護することができるビューラー用カバー体を提供することである。
【０００９】
本発明の更に他の目的は、アイメイクと同時に仕上げ用スプレーも行うことができるビューラーを提供することである。
【課題を解決するための手段】
【００１０】
本発明の請求項１に記載のビューラーは、相互に旋回自在に連結された一対の操作レバーを備えており、一方の操作レバーの一端部には両側に分岐して延びる一対の分岐支持部が設けられ、前記一対の分岐支持部には固定挟圧体が固定されているとともに、この固定挟圧体の下側に可動挟圧体が前記固定挟圧体に近接及び離隔する方向に移動自在に支持され、その他端部には操作部が設けられており、他方の操作レバーの一端部は連結部材を介して前記可動挟圧体に連結され、その他端部には操作部が設けられているビューラーにおいて、
前記一対の分岐支持部の一端部及び／又は前記固定挟圧体には、上方に延びる上カバー部材が取り付けられ、前記一対の分岐支持部の中間部又は前記可動挟圧体には、下方に延びる下カバー部材が設けられ、前記上カバー部材及び前記下カバー部材の間には、まつげを挿通するための開口が形成されていることを特徴とする。
【００１１】
また、本発明の請求項２に記載のビューラーでは、前記上カバー部材は、前記一対の分岐支持部及び／又は前記固定挟圧体に取り付けられた基部から上方に向けて外側に傾斜して延びていることを特徴とする。
【００１２】
また、本発明の請求項３に記載のビューラー用カバー体は、一対の操作レバーを備え、一方の操作レバーの一端部に設けられた一対の分岐支持部に固定挟圧体が固定されているとともに、この固定挟圧体の下側に可動挟圧体が前記固定挟圧体に近接及び離隔する方向に移動自在に支持され、他方の操作レバーの一端部が連結部材を介して前記可動挟圧体に連結されたビューラーに用いるカバー体であって、
前記一対の分岐支持部の一端部及び／又は前記固定挟圧体に着脱自在に取り付けられる上カバー部材と、前記一対の分岐支持部の中間部又は前記可動挟圧体に着脱自在に取り付けられる下カバー部材とから構成され、前記上カバー部材及び前記下カバー部材の間には、まつげを挿通するための開口が形成されていることを特徴とする。
【００１３】
また、本発明の請求項４に記載のビューラーは、相互に上下方向に移動自在に装着される上部材及び下部材から構成され、前記上部材には開口が形成され、この開口の上縁には内側に突出する上挟圧部が設けられ、前記上部材の前記開口の上側部が上カバー部として機能し、その前記開口の下側部が下カバー部として機能するように構成され、また前記下部材は前記上部材の内側に配設され、その上端には前記上挟圧部と協働してまつげを挟圧するための下挟圧部が設けられていることを特徴とする。
【００１４】
また、本発明の請求項５に記載のビューラーは、開口を有するビューラー本体と、このビューラー本体の前記開口に上下方向に移動自在に装着された可動部材とから構成され、前記ビューラー本体の前記開口の上側部が上カバー部として機能し、前記可動部材が下カバー部として機能するように構成され、また前記上カバー部には上方に向けて外側に傾斜する傾斜面が設けられ、前記ビューラー本体の前記開口の上縁が上挟圧部として機能し、前記可動部材の上端が前記上挟圧部と協働してまつげを挟圧するための下挟圧部として機能するように構成されていることを特徴とする。
【００１５】
また、本発明の請求項６に記載のビューラーでは、前記可動部材には、まつげを保持するための保持液を収容する収容部と、前記収容部に保持された保持液を噴射する噴射孔と、前記収容部から前記噴射孔に延びる噴射流路に設けられた開閉弁を開閉操作するための操作部とが設けられ、前記ビューラー本体の前記上挟圧部と前記可動部材の前記下挟圧部との間にまつげを挟圧した状態において前記操作部を操作すると、前記収容部内の保持液が前記噴射流路を通して前記噴射孔から挟圧されたまつげに向けて霧状に噴射されることを特徴とする。
【００１６】
また、本発明の請求項７に記載のビューラーは、開口を有するビューラー本体と、このビューラー本体の前記開口に上下方向に移動自在に装着された可動部材とから構成され、
前記ビューラー本体の前記開口の上側部が上カバー部として機能し、前記可動部材が下カバー部として機能するように構成され、
また前記ビューラー本体の前記開口の上縁が上挟圧部として機能し、前記可動部材の上端が前記上挟圧部と協働してまつげを挟圧するための下挟圧部として機能するように構成され、
更に、前記可動部材には、まつげを保持するための保持液を収容する収容部と、前記収容部に保持された保持液を噴射する噴射孔と、前記収容部から前記噴射孔に延びる噴射流路に設けられた開閉弁を開閉操作するための操作部とが設けられ、
前記ビューラー本体の前記上挟圧部と前記可動部材の前記下挟圧部との間にまつげを挟圧した状態において前記操作部を操作すると、前記収容部内の保持液が前記噴射流路を通して前記噴射孔から挟圧されたまつげに向けて霧状に噴射されることを特徴とする。
【００１７】
また、本発明の請求項８に記載のビューラーでは、前記可動部材の前記下挟圧部の下側には外側に突出する肩部が設けられ、前記噴射孔は前記肩部の上面に横方向に間隔を置いて複数設けられ、前記操作部を操作すると、前記収容部内の保持液が前記噴射流路を通して複数個の前記噴射孔から、前記上挟圧部及び前記下挟圧部の間に挟圧されたまつげ全体に向けて霧状に噴射されることを特徴とする。
【発明の効果】
【００１８】
本発明の請求項１に記載のビューラーによれば、一方の操作レバーの一端部には一対の分岐支持部が設けられ、これら分岐支持部間に固定挟圧体が固定されているとともに、可動挟圧体がこれら分岐支持部間に固定挟圧体に近接及び離隔する方向に移動自在に支持されている。そして、一対の分岐支持部の一端部（及び／又は固定挟圧体）には上方に延びる上カバー部材が設けられ、またこれらの分岐支持部の中間部（又は可動挟圧体）には下方に延びる下カバー部材が設けられているので、固定挟圧体及び可動挟圧体によりまつげを挟圧した状態においては、まつげの上側は上カバー部材（又は上カバー部材及び固定挟圧体）によって覆われ、またまつげの下側は下カバー部材（又は下カバー部材及び可動挟圧体）により覆われる。従って、このような状態においてまつげに仕上げ用スプレーなどを吹き付けても、目やその周辺にスプレーが付くのを上カバー部材及び下カバー部材によって防ぐことができ、目やその周辺を保護することができる。
【００１９】
また、本発明の請求項２に記載のビューラーによれば、上カバー部材はその基部から上方に向けて外側に傾斜して延びているので、まつげの上側に飛散したスプレーは上カバー部材の表面に沿って外側に流れ、目やその周辺に付着するのをより効果的に防止することができる。尚、このような上カバー部材は比較的柔かい材料から形成して弾性変形可能なように構成するのが好ましく、或いは上カバー部材の上部を支持軸を中心として顔に近接及び離隔する方向に旋回自在に構成するようにしてもよい。
【００２０】
また、本発明の請求項３に記載のビューラー用カバー体によれば、上カバー部材及び下カバー部材から構成され、上カバー部材が一対の操作レバーの一対の分岐支持部（及び／又は固定挟圧体）に着脱自在に取り付けられ、また下カバー部材がこれら分岐支持部の中間部（又は可動挟圧体）に着脱自在に取り付けられる。従って、従来から市販されているビューラーなどに簡単に取り付けて使用することができ、このように上カバー部材及び下カバー部材を取り付けることによって、まつげにスプレーなどをした際に目やその周辺に付着するのを防止することができる。
【００２１】
また、本発明の請求項４に記載のビューラーによれば、相互に上下方向に移動自在な上部材及び下部材から構成され、上部材に形成された開口の上縁に上挟圧部が設けられ、下部材の上端部に下挟圧部が設けられているので、下部材を上方に移動させることによって、上挟圧部と下挟圧部との間にまつげを挟圧することができる。また、上部材の開口の上側部が上カバー部として機能し、その開口の下側部が下カバー部として機能するので、上挟圧部と下挟圧部との間にまつげを挟圧した状態においてこのまつげにスプレーなどをしても目やその周辺に付着するのを防止することができる。
【００２２】
また、本発明の請求項５に記載のビューラーによれば、ビューラー本体と、このビューラー本体の開口に上下方向に移動自在に装着された可動部材から構成され、ビューラー本体の開口の上縁が上挟圧部として機能し、可動部材の上端が下挟圧部として機能するので、可動部材を上方に移動させることによって、上挟圧部と下挟圧部との間にまつげを挟圧することができる。また、ビューラー本体の開口の上側部が上カバー部として機能し、可動部材が下カバー部として機能するので、上挟圧部と下挟圧部との間にまつげを挟圧した状態においてこのまつげにスプレーなどをしても目やその周辺に付着するのを防止することができる。更に、上カバー部には上方に向けて外側に傾斜する傾斜面が設けられているので、スプレーなどはこの傾斜面に沿って外側に流れ、スプレーなどが目などに付着するのを効果的に防止することができる。
【００２３】
また、本発明の請求項６に記載のビューラーによれば、可動部材に保持液を収容する収容部、保持液を噴出する噴出孔及び開閉弁を開閉操作するための操作部が設けられているので、操作部を操作して開閉弁を開放することによって、収容部内の保持液が噴出流路を通して噴出口から噴出し、従って、まつげを上挟圧部及び下挟圧部に挟圧した状態で簡単に且つ容易に保持液をスプレー状に噴出させてまつげをその状態に保つことができる。
【００２４】
また、本発明の請求項７に記載のビューラーによれば、ビューラー本体の開口の上縁が上挟圧部として機能し、可動部材の上端が下挟圧部として機能するので、可動部材を上方に移動させることによって、上挟圧部と下挟圧部との間にまつげを挟圧することができる。また、保持液を収容する収容部、保持液を噴出する噴出孔及び開閉弁を開閉操作するための操作部が可動部材に設けられているので、操作部を操作することによって、まつげを上挟圧部及び下挟圧部に挟圧した状態で保持液をスプレー状に噴出させてその状態に保つことができ、このとき、ビューラー本体の開口の上側部が上カバー部として機能し、可動部材が下カバー部として機能するので、スプレーなどが目やその周辺に付着するのを防止することができる。
【００２５】
また、本発明の請求項８に記載のビューラーによれば、可動部材の下挟圧部の下側に肩部が設けられ、この肩部の上面に噴出孔が間隔をおいて複数設けられているので、これら噴出孔からまつげ全体に向けて保持液がスプレー状に噴出され、まつげ全体にスプレーを付けることができる。
【発明を実施するための最良の形態】
【００２６】
以下、添付図面を参照して、本発明に従うビューラー及びこれに用いるカバー体の実施形態について説明する。
〔第１の実施形態のビューラー〕
まず、図１〜図３を参照して、本発明に従うビューラーの第１の実施形態について説明する。図１は、第１の実施形態のビューラーを示す斜視図であり、図２は、図１のビューラーのビューラー本体に取り付けられるカバー体を示す斜視図であり、図３は、図１のビューラーの使用状態を簡略的に示す図である。
【００２７】
図１において、図示のビューラー２はビューラー本体４を備え、このビューラー本体４は一対の操作レバー６，８から構成されている。一対の操作レバー６，８は連結ピン１０を介して相互に旋回自在に連結されている。一方の操作レバー６の一端部は両側（図１において左右方向）に分岐して延び、一対の分岐支持部１２，１４は上方に向けて外側に傾斜して延びた後上方に延びている。
【００２８】
一対の分岐支持部１２，１４の一端部には固定挟圧体１６が固定されているとともに、この固定挟圧体１６の下側（図１において下側）に可動挟圧体１８が配設され、可動挟圧体１８は一対の分岐支持部１２，１４に上下方向に、即ち固定挟圧体１６に近接及び離隔する方向に移動自在に支持されている。固体挟圧体１６及び可動挟圧体１８はプレート状部材から形成され、一対の分岐支持部１２，１４間にわたって設けられ、まぶたの形状に対応して、それらの幅方向（図１において左右方向中央部が外側に凸状となるように湾曲している。固定挟圧体１６と可動挟圧体１８との間には開口２２が形成され、まつげ２０（図３参照）はこの開口２２を挿通される。この実施形態では、図３から理解されるように、固定挟圧体１６の下端（その下端面）がまつげ２０の上側に作用する上挟圧部を構成し、可動挟圧体１８の上端（その上端面）がまつげ２０の下側に作用する下挟圧部を構成する。
【００２９】
また、他方の操作レバー８の一端側は短く形成され、この一端部と可動挟圧体１８との間には連結部材２４が連結されている。連結部材２４は略Ｖ字状に形成され、その中間部が操作レバー８に旋回自在に連結され、その両端部が可動挟圧体１８に固定されている。更に、操作レバー６，８の他端部には、それぞれ、略リング状に形成された操作部２６，２８が設けられている。このように構成されているので、一対の操作レバー６，８の操作部２６，２８を相互に近接（又は離隔）する方向に操作すると、連結部材２４を介して可動挟圧体１８が一対の分岐支持部１２，１４に案内されて上方（又は下方）に固定挟圧体１６に近接（又は離隔）する方向に移動される。
【００３０】
この第１の実施形態では、ビューラー本体４にカバー体３２が取り付けられ、カバー体３２が上カバー部材３４及び下カバー部材３６から構成されている。図１とともに図２を参照して、上カバー部材３４は取付基部３８及びこの取付基部３８から延びる上カバー部４０を有している。取付基部３８の両端部にはカールした取付部４２，４４が設けられ、これら取付部４２，４４が操作レバー６の分岐支持部１２，１４の一端部に固定的に取り付けられ、取り付けた状態においては、上カバー部材３４の取付基部３８は固定挟圧体１６を覆うようにその外側に位置する。この上カバー部材３４の上カバー部４０は、図３に示すように、上方に向けて外側（顔から離れる方向）に傾斜して延びるように構成するのが好ましい。このような上カバー部材３４は、例えばシリコンゴムなどの比較的柔かい材料から形成され、このように形成することによって自由に弾性変形することが可能となり、使用者の顔の形状に沿ってたわんでその表面を被う。
【００３１】
また、下カバー部材３６は下カバー部４６を有している。下カバー部４６の両側端部にはカールした取付部４８，５０が設けられ、これら取付部４８，５０が一対の分岐支持部１２，１４の軸線方向中間部に固定的に取り付けられ、取り付けた状態においては、下カバー部４６は一対の分岐支持部１２，１４間であって、それらの中間部から基部までを覆うように可動挟圧体１８の外側に位置する。この下カバー部材３６は例えばシリコンゴムなどから形成される。
【００３２】
このビューラー２は、次のようにして使用される。図３をも参照して、使用に際し、一方の操作レバー６の操作部２６に親指を挿入するとともに、他方の操作レバー８の操作部２８に人差し指を挿入し、この状態で目に近づけて固定挟圧体１６と可動挟圧体１８との間の開口２２にアイメイクするまつげ２０を挿通する。
【００３３】
そして、親指及び人差し指によって一対の操作レバー６，８の操作部２６，２８を相互に近接する方向に操作する。かくすると、連結部材２４を介して可動挟圧体１８が固定挟圧体１６に向けて移動し、アイメイクするまつげ２０は、図３に示すように固定挟圧体１６の上挟圧部と可動挟圧体１８の下挟圧部との間に挟圧され、上に上げるなどしてまつげ２０にアイメイクを施すことができる。
【００３４】
アイメイクを施した後、この状態を保持するための保持液のスプレーを行う。保持液は容器５１に充填されており、押圧部５２を押圧することによって容器５１内の保持液が噴出部５４から霧状となって噴出され、霧状の保持液がまつげ２０（固定挟圧体１６及び可動挟圧体１８から外側に突出している部分）に付着することによって、アイメイクした状態を保持することができる。このとき、まつげ２０の上側は上カバー部材３４により覆われ、またまつげ２０の下側は挟圧状態にある可動挟圧体１８及び下カバー部材３６により覆われているので、噴射部５４から噴出された霧状の保持液が目やその周辺に付着することがなく、目は皮膚を保護することができる。特に、上カバー部材４０にあっては、上カバー部４０が上方に向けて外側に傾斜しているので、噴出した霧状の保持液はその表面に沿って外側に顔から離れる方向に流れ、皮膚などへの付着をより効果的に防ぐことができる。保持液は、まつげ用の専用の液を用いることができ、このような液は目に優しいものが望ましい。
【００３５】
上述した実施形態では、上カバー部材３４及び下カバー部材３４を一対の分岐支持部１２，１４に固定的に設けているが、分岐支持部１２，１４に着脱自在に取り付けるように構成してもよい。このように着脱自在に構成することによって、従来から市販されているビューラーに適用して取り付けることができ、また保持液をスプレーするときのみに取り付けるようにすることも可能となり、取扱いの利便性を高めることができる。
【００３６】
また、上述した実施形態では、上カバー部材３４を一対の分岐支持部１２，１４に取り付けているが、このような構成に代えて、固定挟圧体１６の外面側に、或いは分岐支持部１２，１４から固定挟圧体１６にわたって設けるようにしてもよく、また下カバー部材３６についても、分岐支持部１２，１４に設けることに代えて、可動挟圧体１８に設けるようにしてもよい。
【００３７】
〔第２の実施形態〕
次に、図４及び図５を参照して、第２の実施形態のビューラーについて説明する。図４は、第２の実施形態のビューラーを使用する状態で示す斜視図であり、図５は、図４のビューラーを分解して示す斜視図である。
【００３８】
図示のビューラー１０２は、相互に上下方向に移動自在に組み合わされる上部材１０４及び下部材１０６から構成されている。上部材１０４はプレート状の部材から構成され、その両端部にカールされた案内支持部１０８，１１０が設けられている。この上部材１０４の略中央部には矩形状の開口１１２が設けられ、この開口１１２の上縁に内側に突出する上挟圧部１１４が設けられ、アイメイクするまつげはこの開口１１２を挿通される。この上部材１０４においては、開口１１２の上側部が上カバー部として機能し、開口１１２の下側部が下カバー部の一部として機能する。
【００３９】
また、下部材１０６もプレート状の部材から構成され、その両端部にカールされた被案内部１１６，１１８が設けられている。図４に示すように、下部材１０６は、その被案内部１１６，１１８が上部材１０４の下側からその案内支持部１０８，１１０に挿入されて上部材１０４の内側にて上下方向（上部材１０４の上挟圧部１１４に近接及び離隔する方向）に移動自在に装着される。この下部材１０６（上部材１０４の開口１１２の内側に位置する部位）が下カバー部として機能するとともに、その上縁（上端面）が下挟圧部として機能する。
【００４０】
第２の実施形態のビューラー１０２においては、上部材１０４の案内支持部１０８，１１０に下部材１０６の被案内部１１６，１１８を挿入して上部材１０４の内側に下部材１０６を取り付け、上部材１０４の開口１１２にアイメイクするまつげを挿通し、この状態にて上部材１０４に対して下部材１０６を上方に移動させる。かくすると、アイメイクするまつげは、上部材１０４の上挟圧部１１４と下部材１０６の上縁（下挟圧部）との間に挟圧され、まつげにアイメイクを施すことができる。
【００４１】
アイメイクしたまつげにスプレーを施す場合には、上部材１０４及び下部材１０６によって挟圧した状態において上述したと同様にしてスプレーすればよく、このようにスプレーすると、容器の噴出部から霧状に噴出された保持液がまつげに付着し、アイメイクした状態を保持することができる。このとき、まつげの上側は上部材１０４の上カバー部によって、またその下側は挟圧状態にある下部材１０６の下カバー部（開口１１２の内側に位置する部位）及び上部材１０４の下カバー部により覆われているので、この場合においても噴出された霧状の保持液が目やその周辺に付着することがなく、目は皮膚を保護することができる。
【００４２】
上部材は、例えば、図６に示すように構成することができる。この変形形態においては、上部材１０４Ａの上端縁に延長上カバー部１２０が旋回自在に設けられている。延長上カバー部１２０の基部には基部当接部１２２が設けられているとともに、この基部当接部１２２の両側に一対の支持部１２４、１２６が設けられ、これら支持部１２４、１２６が支持軸１２８（図６において一方のみ示す）を介して案内支持部１０８、１１０の上端部に旋回自在に支持されている。また支持部１２４、１２６と案内支持部１０８、１１０のとの間には、図示していないが、延長上カバー部１２０を図６において反時計方向に弾性的に偏倚するためのねじりばね（図示せず）が介在されている。このように構成されているので、通常、ねじりばね（図示せず）の作用によって偏倚され、基部当接部１２２が上部材１０４Ａの上端部内面に当接する状態（図６に示す状態）に保持される。そして、使用中に延長上カバー部１２０に顔の一部などが作用すると、支持軸１２８を中心として図６において時計方向に旋回することが許容され、目の上側を安全に覆うことができる。
【００４３】
この変形形態では、支持部１２４、１２６と上部材１０４Ａの案内支持部１０８、１１０との間にねじりばねを介在させているが、このような偏倚手段を上部材１０４と延長上カバー部１２０の基部との間に介在させるようにしてもよい。また、尚形態では、延長上カバー部１２０を上部材１０４Ａに旋回自在に装着しているが、図1〜図３に示す第１の実施形態と同様に、延長上カバー部１２０を上部材１０４Ａと一体的に設け、延長上カバー部１２０の一部又は全体を弾性変形可能なように構成することもできる。
【００４４】
〔第３の実施形態〕
次に、図７〜図９を参照して、第３の実施形態のビューラーについて説明する。図７は、第３の実施形態のビューラーを示す斜視図であり、図８は、図７のビューラーを示す背面図であり、図９は、図７のビューラーを示す縦断面図である。
【００４５】
図７〜図９において、第３の実施形態のビューラー２０２は、ビューラー本体２０４と、このビューラー本体２０４に装着された可動部材２０６とから構成されている。ビューラー本体２０４は矩形状であり、その略中央部に略矩形状の開口２０８が設けられ、この開口２０８に可動部材２０６が上下方向（図７〜図９において上下方向）に移動自在に装着されている。
【００４６】
ビューラー本体２０４の開口２０８の上縁（上端面）は上挟圧部として機能し、この開口２０８の上側部が上カバー部として機能する。上カバー部の外面側（顔とは反対側）には上方に向けて外側に傾斜する傾斜面２１０が設けられ、この実施形態では、開口２０８の上縁を規定する部位から上方に弧状に設けられており、このような傾斜面は直線状に設けるようにしてもよい。
【００４７】
ビューラー本体２０４の開口２０８を規定する両側面の上下方向中間部には当接突部２１２，２１４が設けられ、かかる当接突部２１２，２１４の下側に収容凹部２１６，２１８が設けられ、その上側には案内溝２２０，２２２が設けられ、かかる案内溝２２０，２２２は当接突部２１２，２１４から開口２０８の上縁まで上方に直線状に延びている。開口２０８のこような構成に対応して、可動部材２０６の側面の上部には、案内溝２２０，２２２に対応して案内突条２２４，２２６が設けられ、その側面の下端部には、収容凹部２１６，２１８に対応して作用突部２２８，２３０が設けられている。可動部材２０６はビューラー本体２０４の開口２０８に装着され、その案内突条２２４，２２６が案内溝２２０，２２２に上下方向に移動自在に受け入れられ、その作用突部２２８，２３０が収容凹部２１６，２１８に上下方向に移動自在に受け入れられる。この可動部材２０６は下カバー部として機能し、その上端（上端面）が下挟圧部として機能し、この下挟圧部に例えばゴム材２３１などを設けることができる。
【００４８】
この可動部材２０６は、通常、図７〜図９に示す開放位置に保持されるように構成されている。この実施形態では、ビューラー本体２０４の収容凹部２１６，２１８にコイルばね２３２，２３４（偏倚手段を構成する）が配設され、それらの一端部が収容凹部２１６，２１８の一端面（上端面）に作用し、それらの他端部が可動部材２０６の作用突部２２８，２３０に作用し、可動部材２０６を上記開放位置に向けて弾性的に偏倚する。このように構成されているので、可動部材２０６はコイルばね２３２，２３４の作用によって上記開放位置に保持され、この開放位置においては、可動部材２０６の下面がビューラー本体２０４の開口２０８の底面に当接する。可動部材２０６の内側面（顔側の面）には操作部２３６が設けられ、例えば親指でもってこの操作部２３６を上方に操作することによって、コイルばね２３２，２３４の弾性偏倚力に抗して可動部材２０６を上方に移動させることができる。
【００４９】
この第３の実施形態では、保持液を噴出させるためのスプレー部２４０が可動部材２０６に組み込まれている。主として図９を参照して、可動部材２０６の下部には密閉された収容部２４２が設けられ、この収容部２４２内にまつげのメイク状態を保持するための保持液が収容されるとともに、この保持液を噴出させるための圧縮気体が充填される。可動部材２０６の上部には送給空間２４４が設けられ、収容部２４２と送給空間２４４とが噴射流路２４６を介して連通され、この噴射流路２４６に開閉弁２４８が配設されている。また、可動部材２０６の上端部近傍の外側には外側に突出する肩部２５０が設けられ、この肩部２５０（送給空間２４４の上面の一部を規定する壁部）には、幅方向（図９において左右方向）に間隔をおいて複数個の噴射孔２５２が設けられている。また、可動部材２０６の外面側には、噴出操作部材２５４が上下方向に移動操作可能に設けられている。この噴出操作部材２５４を下方に開操作すると、開閉弁２４８が開放され、収容部２４２内の圧縮気体の作用により保持液が噴射流路２４６及び送給空間２４４を通して複数の噴出孔２５２から上方に噴出する。
【００５０】
第３の実施形態のビューラー２０２の使用方法は、次の通りである。ビューラー２０２を目に近付け、ビューラー本体２０４の開口２０８にアイメイクするまつげを挿通し、可動部材２０６の内側の操作部２３６を上方に操作する。かくすると、コイルばね２３２，２３４の弾性偏倚力に抗して可動部材２０６が上方に上挟圧部に向けて移動し、アイメイクするまつげは、ビューラー本体２０４の上挟圧部と可動部材２０６の下挟圧部との間に挟圧され、上に上げるなどしてまつげにアイメイクを施すことができる。
【００５１】
アイメイクを施した後噴出操作部材２３６を下方に開操作すると、開閉弁２４８が開放され、保持液が噴射流路２４６及び送給空間２４４を通して複数個の噴出孔２５２から霧状に噴出し、かく噴出した保持液がまつげに付着することによって、メイクした状態に保持することができる。このとき、まつげの上側はビューラー本体２０４の上カバー部によって、またまつげの下側は可動部材２０６（下カバー部として機能する）によって覆われるので、噴出孔２５２から噴出された霧状の保持液が目やその周辺に付着することがなく、目は皮膚を保護することができる。特に、この第３の実施形態では、ビューラー本体２０４の上カバー部に上方に向けて外方に傾斜する傾斜部２１０が設けられ、保持液が噴出孔２５２から上方に霧状に噴出されるので、かく噴出された霧状の保持液は傾斜部２１０の表面に沿って外側に顔から離れる方向に流れ、これによって、噴出した保持液が目や皮膚に付着するのを効果的に防止することができる。また、噴出孔２５２が可動部材２０６の実質上全幅にわたって設けられているので、上挟圧部及び下挟圧部間に挟圧状態にあるまつげの実質上全体にわたって霧状の保持液を付着させることができる。
【００５２】
この第３の実施形態においては、可動部材２０６にスプレー部２４０を組み込んでいるが、このような構成に代えて、スプレー部２４０を省略し、カバー体を備えたビューラーとして用いるようにすることもできる。
【００５３】
尚、この第３の実施形態においても、ビューラー本体２０４の上端部に図６に示すように延長上カバー部を設けるようにしてもよく、この場合、図６に示すように旋回自在に装着するようにしてもよく、或いは図１〜図３に示すように弾性変形可能なようにして一体的に設けるようにしてもよい。
【００５４】
以上、本発明に従うビューラー及びビューラーに用いるカバー体の実施形態について説明したが、本発明はかかる実施形態に限定されるものではなく、本発明の範囲を逸脱することなく種々の変形乃至修正が可能である。
【産業上の利用可能性】
【００５５】
このビューラーは、まつげをアイメイクするとともに、アイメイクしたまつげをその状態に保持するために保持液をスプレーするときに好都合に用いることができ、霧状の保持液が目や皮膚に付着するのを防止することができる。カバー体を備えたビューラーでは、保持液が入った専用の容器と組み合わせて用いられ、アイメイクした後に容器の噴出部から保持液をスプレーすることによって、メイクした状態を長く保つことができる。また、スプレー部をも備えたビューラーでは、それ単独でもってスプレーを同時に行うことができ、アイメイクした後操作部を操作してスプレー部から保持液を霧状に噴出させることによって、メイクした状態を長く保つことができる。
【図面の簡単な説明】
【００５６】
【図１】本発明に従うビューラーの第１の実施形態を示す斜視図である。
【図２】図１のビューラーのビューラー本体に取り付けられるカバー体を示す斜視図である。
【図３】図１のビューラーの使用状態を簡略的に示す図である。
【図４】本発明に従うビューラーの第２の実施形態を示す斜視図である。
【図５】図４のビューラーを分解して示す斜視図である。
【図６】上部材の変形形態を示す斜視図である。
【図７】本発明に従うビューラーの第３の実施形態を示す斜視図である。
【図８】図７のビューラーを示す背面図である。
【図９】図７のビューラーを示す縦断面図である。
【符号の説明】
【００５７】
２，１０２，２０２  ビューラー
４，２０４  ビューラー本体
６，８  操作レバー
１６  固定挟圧体
１８  可動挟圧体
２４  連結部材
２６，２８  操作部
３２  カバー体
３４  上カバー部材
３６  下カバー部材
５１  容器
１０４  上部材
１０６  下部材
１１２，２０８  開口
１１４  上挟圧部
２０６  可動部材
２３６  噴出操作部材
２４０  スプレー部
２４２  収容部
２４６  噴出流路
２５２  噴出孔
【図１】
2005177229.tif 000003
【図２】
2005177229.tif 000004
【図３】
2005177229.tif 000005
【図４】
2005177229.tif 000006
【図５】
2005177229.tif 000007
【図６】
2005177229.tif 000008
【図７】
2005177229.tif 000009
【図８】
2005177229.tif 000010
【図９】
2005177229.tif 000011